(57)【要約】  ＬＢＴ（Listen  Before  Talk）を実施するキャリアであっても、セルサーチ及び／又はＲＲＭ（Radio  Resource  Management）測定を高精度に行うこと。本発明の一態様に係るユーザ端末は、信号の送信前にリスニングを実施するセルを用いて通信を行うユーザ端末であって、第１の同期信号及び第２の同期信号を含む検出測定信号を前記セルで受信する受信部と、前記検出測定信号に含まれ、前記第１の同期信号及び／又は前記第２の同期信号と周波数多重されるチャネル状態測定用参照信号を用いて測定を実施する測定部と、を有することを特徴とする。
2017051726.tif 000002
【特許請求の範囲】
【請求項１】
信号の送信前にリスニングを実施するセルを用いて通信を行うユーザ端末であって、
第１の同期信号及び第２の同期信号を含む検出測定信号を前記セルで受信する受信部と、
前記検出測定信号に含まれ、前記第１の同期信号及び／又は前記第２の同期信号と周波数多重されるチャネル状態測定用参照信号を用いて測定を実施する測定部と、を有することを特徴とするユーザ端末。
【請求項２】
前記チャネル状態測定用参照信号は、前記第１の同期信号及び／又は前記第２の同期信号と周波数多重される所定のリソースブロックにおいて、既存のＣＳＩ−ＲＳ（Channel  State  Information  Reference  Signal）構成のシンボル＃５及び＃６、又はシンボル＃９及び＃１０の候補リソースの少なくとも１つにマッピングされることを特徴とする請求項１に記載のユーザ端末。
【請求項３】
前記第１の同期信号の少なくとも一部は、既存システムにおけるＰＳＳ（Primary  Synchronization  Signal）と同じ無線リソースにマッピングされ、前記第２の同期信号の少なくとも一部は、既存システムにおけるＳＳＳ（Secondary  Synchronization  Signal）と同じ無線リソースにマッピングされることを特徴とする請求項１又は請求項２に記載のユーザ端末。
【請求項４】
前記第１の同期信号及び／又は前記第２の同期信号の一部は、前記セルの中心周波数を含む６リソースブロック以外の６リソースブロックにマッピングされることを特徴とする請求項１から請求項３のいずれかに記載のユーザ端末。
【請求項５】
前記受信部は、既存システムのディスカバリ信号において同期信号及び参照信号のどちらもマッピングされないシンボルに同期信号及び／又は参照信号がマッピングされる前記検出測定信号を受信することを特徴とする請求項１から請求項４のいずれかに記載のユーザ端末。
【請求項６】
前記受信部は、所定の期間内に複数規定される候補位置の少なくとも１つで、前記検出測定信号の受信を試行することを特徴とする請求項１から請求項５のいずれかに記載のユーザ端末。
【請求項７】
前記検出測定信号に含まれる前記第１の同期信号及び／又は前記第２の同期信号は、前記候補位置と関連付けられることを特徴とする請求項６に記載のユーザ端末。
【請求項８】
前記受信部は、検出測定信号構成に関する情報に基づいて判断される期間又は信号構成の少なくとも１つに基づいて、前記検出測定信号を受信することを特徴とする請求項１から請求項７のいずれかに記載のユーザ端末。
【請求項９】
信号の送信前にリスニングを実施するセルを用いてユーザ端末と通信する無線基地局であって、
第１の同期信号及び第２の同期信号を含む検出測定信号を生成する生成部と、
前記検出測定信号を送信する送信部と、を有し、
前記生成部は、前記第１の同期信号及び／又は前記第２の同期信号と周波数多重されるチャネル状態測定用参照信号をさらに含む前記検出測定信号を生成することを特徴とする無線基地局。
【請求項１０】
信号の送信前にリスニングを実施するセルを用いて通信を行うユーザ端末の無線通信方法であって、
第１の同期信号及び第２の同期信号を含む検出測定信号を前記セルで受信する工程と、
前記検出測定信号に含まれ、前記第１の同期信号及び／又は前記第２の同期信号と周波数多重されるチャネル状態測定用参照信号を用いて測定を実施する工程と、を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＬＴＥ  Ｒｅｌ．１３などともいう）も検討されている。【０００３】
Ｒｅｌ．８−１２のＬＴＥでは、通信事業者（オペレータ）に免許された周波数帯域（ライセンスバンド（licensed  band）ともいう）において排他的な運用がなされることを想定して仕様化が行われてきた。ライセンスバンドとしては、例えば、８００ＭＨｚ、１．７ＧＨｚ、２ＧＨｚなどが使用される。【０００４】
近年、スマートフォンやタブレットなどの高機能化されたユーザ端末（ＵＥ：User  Equipment）の普及は、ユーザトラヒックを急激に増加させている。増加するユーザトラヒックを吸収するため、更なる周波数バンドを追加することが求められているが、ライセンスバンドのスペクトラム（licensed  spectrum）には限りがある。【０００５】
このため、Ｒｅｌ．１３  ＬＴＥでは、ライセンスバンド以外に利用可能なアンライセンススペクトラム（unlicensed  spectrum）のバンド（アンライセンスバンド（unlicensed  band）ともいう）を利用して、ＬＴＥシステムの周波数を拡張することが検討されている（非特許文献２）。アンライセンスバンドとしては、例えば、Ｗｉ−Ｆｉ（登録商標）やＢｌｕｅｔｏｏｔｈ（登録商標）を使用可能な２．４ＧＨｚ帯や５ＧＨｚ帯などの利用が検討されている。【０００６】
具体的には、Ｒｅｌ．１３  ＬＴＥでは、ライセンスバンドとアンライセンスバンドの間でのキャリアアグリゲーション（ＣＡ：Carrier  Aggregation）を行うことが検討されている。このように、ライセンスバンドとともにアンライセンスバンドを用いて行う通信をＬＡＡ（License-Assisted  Access）と称する。なお、将来的には、ライセンスバンドとアンライセンスバンドのデュアルコネクティビティ（ＤＣ：Dual  Connectivity）や、アンライセンスバンドのスタンドアローン（ＳＡ：Stand-Alone）もＬＡＡの検討対象となる可能性がある。【０００７】
ＬＡＡが運用されるアンライセンスバンドでは、他事業者のＬＴＥ、Ｗｉ−Ｆｉ又はその他のシステムとの共存のため、干渉制御機能の導入が検討されている。Ｗｉ−Ｆｉでは、同一周波数内での干渉制御機能として、ＣＣＡ（Clear  Channel  Assessment）に基づくＬＢＴ（Listen  Before  Talk）が利用されている。ＬＢＴは、信号の送信前にリスニング（センシング）を行い、リスニング結果に基づいて送信を制御する技術である。日本や欧州などにおいては、５ＧＨｚ帯アンライセンスバンドで運用されるＷｉ−Ｆｉなどのシステムにおいて、ＬＢＴ機能が必須と規定されている。
【先行技術文献】
【非特許文献】
【０００８】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】AT&T,  “Drivers,  Benefits  and  Challenges  for  LTE  in  Unlicensed  Spectrum,”  3GPP  TSG  RAN  Meeting  #62  RP-131701
【発明の概要】
【発明が解決しようとする課題】
【０００９】
ところで、アンライセンスバンドのセルでは、ＵＥがＲＲＭ（Radio  Resource  Management）測定などに用いるための信号（例えば、ディスカバリ信号（ＤＳ：Discovery  Signal）と呼ばれる）を送信することが検討されている。【００１０】
既存のＤＳを用いる場合、ＤＳ長を短く構成すると、ＤＳに含むことができる同期信号や参照信号のリソースが少なくなる。また、既存のＤＳを用いる場合、ＤＳ長を長く構成すると、ＤＳ内に信号を含まないシンボルを含むため、ＤＳ送信期間中であっても他のシステム（例えば、Ｗｉ−Ｆｉ）のＬＢＴが成功する可能性がある。この場合、他のシステムが信号の送信を開始するため、当該信号とＤＳが衝突する。いずれの場合でも、ＬＡＡにおけるセルサーチ及び／又はＲＲＭ測定を正確（高精度）に行うことが困難となり、通信を適切に行えなくなるおそれがある。【００１１】
本発明はかかる点に鑑みてなされたものであり、ＬＢＴ（送信前にリスニング）を実施するキャリア（例えば、アンライセンスバンド）であっても、セルサーチ及び／又はＲＲＭ測定を高精度に行うことができるユーザ端末、無線基地局及び無線通信方法を提供することを目的の１つとする。
【課題を解決するための手段】
【００１２】
本発明の一態様に係るユーザ端末は、信号の送信前にリスニングを実施するセルを用いて通信を行うユーザ端末であって、第１の同期信号及び第２の同期信号を含む検出測定信号を前記セルで受信する受信部と、前記検出測定信号に含まれ、前記第１の同期信号及び／又は前記第２の同期信号と周波数多重されるチャネル状態測定用参照信号を用いて測定を実施する測定部と、を有することを特徴とする。
【発明の効果】
【００１３】
本発明によれば、ＬＢＴを実施するキャリアであっても、セルサーチ及び／又はＲＲＭ測定を高精度に行うことが可能となる。
【図面の簡単な説明】
【００１４】
【図１】図１Ａは、既存のＬＡＡ  ＤＲＳの無線リソース構成の一例を示す図であり、図１Ｂは、既存のＬＡＡ  ＤＲＳの無線リソース構成の別の一例を示す図である。
【図２】実施形態１．１に係るＬＡＡ  ＤＲＳの無線リソース構成の一例を示す図である。
【図３】実施形態１．２に係るＬＡＡ  ＤＲＳの無線リソース構成の一例を示す図である。
【図４】実施形態１．３に係るＬＡＡ  ＤＲＳの無線リソース構成の一例を示す図である。
【図５】第２の実施形態に係るＬＡＡ  ＤＲＳの無線リソース構成の一例を示す図である。
【図６】図６Ａは、第３の実施形態に係るＬＡＡ  ＤＲＳの無線リソース構成の一例を示す図であり、図６Ｂは、第３の実施形態に係るＬＡＡ  ＤＲＳの無線リソース構成の別の一例を示す図である。
【図７】本発明の一実施形態に係る無線通信システムの概略構成の一例を示す図である。
【図８】本発明の一実施形態に係る無線基地局の全体構成の一例を示す図である。
【図９】本発明の一実施形態に係る無線基地局の機能構成の一例を示す図である。
【図１０】本発明の一実施形態に係るユーザ端末の全体構成の一例を示す図である。
【図１１】本発明の一実施形態に係るユーザ端末の機能構成の一例を示す図である。
【発明を実施するための形態】
【００１５】
アンライセンスバンドでＬＴＥ／ＬＴＥ−Ａを運用するシステム（例えば、ＬＡＡシステム）においては、他事業者のＬＴＥ、Ｗｉ−Ｆｉ又はその他のシステムとの共存のため、干渉制御機能が必要になると考えられる。なお、アンライセンスバンドでＬＴＥ／ＬＴＥ−Ａを運用するシステムは、運用形態がＣＡ、ＤＣ又はＳＡのいずれであるかに関わらず、総称して、ＬＡＡ、ＬＡＡ−ＬＴＥ、ＬＴＥ−Ｕ、Ｕ−ＬＴＥなどと呼ばれてもよい。
【００１６】
一般に、アンライセンスバンドのキャリア（キャリア周波数又は単に周波数と呼ばれてもよい）を用いて通信を行う送信ポイント（例えば、無線基地局（ｅＮＢ）、ユーザ端末（ＵＥ）など）は、当該アンライセンスバンドのキャリアで通信を行っている他のエンティティ（例えば、他のＵＥ）を検出した場合、当該キャリアで送信を行うことが禁止されている。
【００１７】
このため、送信ポイントは、送信タイミングよりも所定期間前のタイミングで、リスニング（ＬＢＴ）を実行する。具体的には、ＬＢＴを実行する送信ポイントは、送信タイミングよりも所定期間前のタイミングで、対象となるキャリア帯域全体（例えば、１コンポーネントキャリア（ＣＣ：Component  Carrier））をサーチし、他の装置（例えば、無線基地局、ＵＥ、Ｗｉ−Ｆｉ装置など）が当該キャリア帯域で通信しているか否かを確認する。
【００１８】
なお、本明細書において、リスニングとは、ある送信ポイント（例えば、無線基地局、ユーザ端末など）が信号の送信を行う前に、他の送信ポイントなどから所定レベル（例えば、所定電力）を超える信号が送信されているか否かを検出／測定する動作を指す。また、無線基地局及び／又はユーザ端末が行うリスニングは、ＬＢＴ、ＣＣＡ、キャリアセンスなどと呼ばれてもよい。
【００１９】
送信ポイントは、他の装置が通信していないことを確認できた場合、当該キャリアを用いて送信を行う。例えば、送信ポイントは、ＬＢＴで測定した受信電力（ＬＢＴ期間中の受信信号電力）が所定の閾値以下である場合、チャネルがアイドル状態（ＬＢＴｉｄｌｅ）であると判断し送信を行う。「チャネルがアイドル状態である」とは、言い換えると、特定のシステムによってチャネルが占有されていないことをいい、チャネルがアイドルである、チャネルがクリアである、チャネルがフリーである、などともいう。
【００２０】
一方、送信ポイントは、対象となるキャリア帯域のうち、一部の帯域でも他の装置が使用中であることを検出した場合、自らの送信処理を中止する。例えば、送信ポイントは、当該帯域に係る他の装置からの信号の受信電力が、所定の閾値を超過していることを検出した場合、チャネルはビジー状態（ＬＢＴｂｕｓｙ）であると判断し、送信を行わない。ＬＢＴｂｕｓｙの場合、当該チャネルは、改めてＬＢＴを行いアイドル状態であることが確認できた後に初めて利用可能となる。なお、ＬＢＴによるチャネルのアイドル状態／ビジー状態の判定方法は、これに限られない。
【００２１】
ＬＢＴのメカニズム（スキーム）としては、ＦＢＥ（Frame  Based  Equipment）及びＬＢＥ（Load  Based  Equipment）が検討されている。両者の違いは、送受信に用いるフレーム構成、チャネル占有時間などである。ＦＢＥは、ＬＢＴに係る送受信の構成が固定タイミングを有するものである。また、ＬＢＥは、ＬＢＴに係る送受信の構成が時間軸方向で固定でなく、需要に応じてＬＢＴが行われるものである。
【００２２】
具体的には、ＦＢＥは、固定のフレーム周期をもち、所定のフレームで一定時間（ＬＢＴ時間（LBT  duration）などと呼ばれてもよい）キャリアセンスを行った結果、チャネルが使用可能であれば送信を行うが、チャネルが使用不可であれば次のフレームにおけるキャリアセンスタイミングまで送信を行わずに待機するというメカニズムである。
【００２３】
一方、ＬＢＥは、キャリアセンス（初期ＣＣＡ）を行った結果チャネルが使用不可であった場合はキャリアセンス時間を延長し、チャネルが使用可能となるまで継続的にキャリアセンスを行うというＥＣＣＡ（Extended  CCA）手順を実施するメカニズムである。ＬＢＥでは、適切な衝突回避のためランダムバックオフが必要である。
【００２４】
なお、キャリアセンス時間（キャリアセンス期間と呼ばれてもよい）とは、１つのＬＢＴ結果を得るために、リスニングなどの処理を実施してチャネルの使用可否を判断するための時間（例えば、１シンボル長）である。
【００２５】
送信ポイントは、ＬＢＴ結果に応じて所定の信号（例えば、チャネル予約（channel  reservation）信号）を送信することができる。ここで、ＬＢＴ結果とは、ＬＢＴが設定されるキャリアにおいてＬＢＴにより得られたチャネルの空き状態に関する情報（例えば、ＬＢＴｉｄｌｅ、ＬＢＴｂｕｓｙ）のことをいう。
【００２６】
以上述べたように、ＬＡＡシステムにおいて、送信ポイントに、ＬＢＴメカニズムに基づく同一周波数内における干渉制御を導入することにより、ＬＡＡとＷｉ−Ｆｉとの間の干渉、ＬＡＡシステム間の干渉などを回避することができる。また、ＬＡＡシステムを運用するオペレータ毎に、送信ポイントの制御を独立して行う場合であっても、ＬＢＴによりそれぞれの制御内容を把握することなく干渉を低減することができる。
【００２７】
ところで、ＬＡＡシステムでも、ＵＥに対するアンライセンスバンドのＳＣｅｌｌ（Secondary  Cell）の設定または再設定などを行うため、ＵＥがＲＲＭ（Radio  Resource  Management）測定により周辺に存在するＳＣｅｌｌを検出し、受信品質を測定した後、ネットワークへ報告を行うことが必要となる。ＬＡＡにおけるＲＲＭ測定のための信号は、Ｒｅｌ．１２で規定されたディスカバリ信号（ＤＳ：Discovery  Signal）をベースに検討されている。
【００２８】
なお、ＬＡＡにおけるＲＲＭ測定のための信号は、検出測定信号（検出測定用信号）、ディスカバリ参照信号（ＤＲＳ：Discovery  Reference  Signal）、ディスカバリ信号（ＤＳ：Discovery  Signal）、ＬＡＡ  ＤＲＳ、ＬＡＡ  ＤＳなどと呼ばれてもよい。また、アンライセンスバンドのＳＣｅｌｌは、例えばＬＡＡ  ＳＣｅｌｌと呼ばれてもよい。
【００２９】
ＬＡＡ  ＤＲＳは、Ｒｅｌ．１２  ＤＳと同様に、既存システム（例えば、ＬＴＥ  Ｒｅｌ．１０−１２）における同期信号（ＰＳＳ（Primary  Synchronization  Signal）／ＳＳＳ（Secondary  Synchronization  Signal））とセル固有参照信号（ＣＲＳ：Cell-specific  Reference  Signal）との組み合わせ、又は既存システムにおける同期信号（ＰＳＳ／ＳＳＳ）とＣＲＳとチャネル状態測定用参照信号（ＣＳＩ−ＲＳ：Channel  State  Information  Reference  Signal）との組み合わせなどで構成することが検討されている。
【００３０】
また、ネットワーク（例えば、ｅＮＢ）は、ＵＥに対して、周波数ごとにＬＡＡ  ＤＲＳのＤＭＴＣ（Discovery  Measurement  Timing  Configuration）を設定することができる。ＤＭＴＣは、ＤＲＳの送信周期（ＤＭＴＣ周期（DMTC  periodicity）などと呼ばれてもよい）や、ＤＲＳ測定タイミングのオフセットなどに関する情報を含む。
【００３１】
ＤＲＳは、ＤＭＴＣ周期ごとに、ＤＭＴＣ期間（DMTC  duration）の中で送信される。ここで、Ｒｅｌ．１２では、ＤＭＴＣ期間は６ｍｓ長固定である。また、ＤＭＴＣ期間の中で送信されるＤＲＳの長さ（ＤＲＳ期間（DRS  occasion）、ＤＳ期間、ＤＲＳバースト、ＤＳバーストなどと呼ばれてもよい）は１ｍｓ以上５ｍｓ以下である。ＬＡＡでも、同様の設定とすることが検討されているが、ＤＲＳ期間は１ｍｓ以上に限られず、１ｍｓ以下であってもよい。短い時間で測定を完了する観点からは、１ｍｓ以下が好ましい。
【００３２】
ｅＮＢは、ＬＡＡ  ＤＲＳ送信前にＬＢＴを実施し、ＬＢＴｉｄｌｅの場合にＬＡＡ  ＤＲＳを送信する。ＵＥは、ネットワークから通知されるＤＭＴＣによって、ＬＡＡ  ＤＲＳの測定期間のタイミングや周期を把握し、ＬＡＡ  ＤＲＳの測定を実施する。なお、ＬＡＡ  ＤＲＳが単独で送信される場合、ＤＭＴＣ期間内で複数の送信候補位置をサポートすることが検討されている。例えば、所定のセルにおける最初の候補位置でのＤＲＳ送信がＬＢＴｂｕｓｙにより成功しなかった場合であっても、同じＤＭＴＣ周期内の別の候補位置でＤＲＳを送信できる可能性がある。
【００３３】
ＬＡＡ  ＤＲＳは、他システムのＬＢＴ成功による割り込みを抑制するために、時間的な連続性を有することが好ましい。また、単発のＤＲＳに基づいてセル検出や測定が行えることが好ましい。これらの要求を満たすことを目的として、様々なＤＲＳデザインが提案されている。
【００３４】
図１は、既存のＬＡＡ  ＤＲＳの無線リソース構成の一例を示す図である。図１Ａは時間的連続性を優先して、ＤＲＳ長を４シンボルと短くした構成を示す。図１Ａの構成は、Ｒｅｌ．１２  ＤＲＳの連続するシンボル部分（＃４−＃７）を切り取った構成に相当し、ＣＲＳ（ｐｏｒｔ  ０／１）、ＰＳＳ及びＳＳＳを含む。しかしながら、当該構成はＣＳＩ−ＲＳ領域を持たないため、ＣＳＩ−ＲＳを用いたセル（又は送信ポイント（ＴＰ：Transmission  Point）認識ができない。なお、ＣＲＳ  ｐｏｒｔ  Ｘは、アンテナポートＸで送信されるＣＲＳを表す。
【００３５】
図１Ｂは検出／測定精度を優先して、ＤＲＳ長を８シンボルと長くした構成を示す。図１Ｂの構成は、Ｒｅｌ．１２  ＤＲＳの連続するシンボル部分（＃４−＃７）に加え、シンボル＃８のＣＲＳ（ｐｏｒｔ  ２／３）と、シンボル＃９−＃１０のＣＳＩ−ＲＳと、シンボル＃１１のＣＲＳ（ｐｏｒｔ  ０／１）と、を含む構成に相当する。しかしながら、ＣＳＩ−ＲＳが設定されない場合、このＤＲＳは時間的な連続性を持たなくなる。
【００３６】
これら以外にもＤＲＳのリソース構成が検討されているが、いずれの構成でも、既存のＲｅｌ．１２  ＤＲＳから大きく構成を変えすぎてしまい実装が現実的でない、又は、ＣＳＩ−ＲＳの有無や構成（configuration）次第で時間連続とならなくなる、などの問題が解消されていない。つまり、ＬＡＡにおけるセルサーチ及び／又はＲＲＭ測定を正確（高精度）に行うために効果的に利用できるＤＲＳ構成が求められている。
【００３７】
そこで、本発明者らは、ＬＢＴが設定されるキャリアで送信されるＤＲＳ（ＬＡＡ  ＤＲＳ）において、ＤＲＳ長が短い場合でも、ＣＳＩ−ＲＳをマッピングすることを着想した。また、ＤＲＳ長が長い場合でも、ＣＳＩ−ＲＳによらず時間連続性を有するＤＲＳ構成を着想した。
【００３８】
以下、本発明の実施形態について添付図面を参照して詳細に説明する。各実施形態では、ライセンスバンドをＰＣｅｌｌ（Primary  Cell）とし、アンライセンスバンドをＳＣｅｌｌとしてＣＡを適用する例を説明するが、これに限られない。
【００３９】
すなわち、各実施の形態において、ライセンスバンド（及びＰＣｅｌｌ）をリスニング（ＬＢＴ）が設定されないキャリア（ＬＢＴを実施しないキャリア、実施できないキャリアなどと呼ばれてもよい）とし、アンライセンスバンド（及びＳＣｅｌｌ）をリスニング（ＬＢＴ）が設定されるキャリア（又はＬＢＴを実施するキャリア、実施すべきキャリアなどと呼ばれてもよい）とした構成も、本発明の実施形態を構成する。
【００４０】
また、ＬＢＴが設定されないキャリア及び設定されるキャリアと、ＰＣｅｌｌ及びＳＣｅｌｌとの組み合わせについても、上述の構成に限られない。例えばアンライセンスバンド（リスニング（ＬＢＴ）が設定されるキャリア）にスタンドアローンでＵＥが接続する場合などにも、本発明を適用することができる。
【００４１】
（無線通信方法）
＜第１の実施形態＞
本発明の第１の実施形態では、連続する４シンボルを用いてＤＲＳを構成する。当該ＤＲＳ構成は、少なくともＰＳＳ、ＳＳＳ、ＣＲＳ（例えば、ＣＲＳ  ｐｏｒｔ  ０／１）及びＣＳＩ−ＲＳを含む。以下では、ＰＳＳ／ＳＳＳを６リソースブロック（ＲＢ（Resource  Block）、ＰＲＢ（Physical  Resource  Block）などともいう）分だけ含む構成（実施形態１．１）、ＰＳＳ／ＳＳＳを周波数方向に繰り返し含む構成（実施形態１．２）、ＤＲＳの送信候補位置を、１サブフレーム内に複数有する構成（実施形態１．３）、及びＤＲＳとＰＤＳＣＨ／ＥＰＤＣＣＨの多重時にレートマッチングを行う構成（実施形態１．４）について、それぞれ説明する。
【００４２】
図２は、実施形態１．１に係るＬＡＡ  ＤＲＳの無線リソース構成の一例を示す図である。図２では、連続するシンボル＃４−＃７をＬＡＡ  ＤＲＳとする。具体的には、連続する４シンボルの最初及び最後のシンボル（シンボル＃４及び＃７）にＣＲＳ（ｐｏｒｔ  ０／１）がマッピングされ、連続する４シンボルの最初から２番目及び３番目のシンボル（シンボル＃５及び＃６）に同期信号（ＰＳＳ、ＳＳＳ）がマッピングされる。なお、ＣＲＳはｐｏｒｔ  １（又は０）で送信されなくてもよく、その場合、ＣＲＳ  ｐｏｒｔ  ０（又は１）のみがマッピングされてもよい。
【００４３】
さらに、シンボル＃５及び＃６では、ＰＳＳ／ＳＳＳを基準として外側（周波数がより高い及び低い）の無線リソースで、ＣＳＩ−ＲＳがマッピングされる。つまり、シンボル＃５及び＃６では、ＬＢＴが設定される所定のキャリアの中心周波数（中心６ＰＲＢ）でＰＳＳ／ＳＳＳが送信され、ＰＳＳ／ＳＳＳが割り当てられないＰＲＢでＣＳＩ−ＲＳが送信される。
【００４４】
ここで、シンボル＃５及び＃６におけるＣＳＩ−ＲＳのリソースマッピングは、既存のＣＳＩ−ＲＳ構成（CSI-RS  RE  (Resource  Element)  configuration）に基づいて決定されてもよい。例えば、図２の最下部には、アンテナポートが２ポートの場合の、１ＰＲＢにおける既存のＣＳＩ−ＲＳ構成が示されている。既存のＬＴＥシステムでは、シンボル＃５及び＃６の８ＲＥ、シンボル＃９及び＃１０の２４ＲＥ、そしてシンボル＃１２及び＃１３の８ＲＥがＣＳＩ−ＲＳをマッピング可能なリソースであり、ＣＳＩ−ＲＳ構成によりどのＲＥにＣＳＩ−ＲＳをマッピングするかが判断される。
【００４５】
例えば、図２のＰＳＳ／ＳＳＳの外側のＣＳＩ−ＲＳは、各ＲＢで既存のＣＳＩ−ＲＳ構成のシンボル＃５及び＃６のリソースを用いてマッピングされてもよい。この場合、各ＲＢで８ＲＥをＣＳＩ−ＲＳに適用可能であり、ＵＥはＣＳＩ−ＲＳに基づいて最大４ＴＰまでを認識することができる。
【００４６】
また、図２のＰＳＳ／ＳＳＳの外側のＣＳＩ−ＲＳは、各ＲＢで既存のＣＳＩ−ＲＳ構成のシンボル＃９及び＃１０のリソースを用いてマッピングされてもよい。つまり、当該ＣＳＩ−ＲＳは、シンボル＃５及び＃６の全ＲＥのいずれかにマッピングされてもよい。この場合、各ＲＢで２４ＲＥをＣＳＩ−ＲＳに適用可能であり、ＵＥはＣＳＩ−ＲＳに基づいて最大１２ＴＰまでを認識することができる。
【００４７】
なお、ＰＳＳ／ＳＳＳと同じシンボルに配置されるＣＳＩ−ＲＳの構成は、例えば、拡張ＣＳＩ−ＲＳ構成と呼ばれてもよい。ＵＥは、拡張ＣＳＩ−ＲＳ構成に関する情報に基づいて、ＤＲＳにおけるＣＳＩ−ＲＳを用いた検出／測定処理を実施してもよい。拡張ＣＳＩ−ＲＳ構成に関する情報は、上位レイヤシグナリング（例えば、ＲＲＣ（Radio  Resource  Control）シグナリング、報知情報（ＭＩＢ、ＳＩＢ））及び下り制御情報（ＤＣＩ：Downlink  Control  Information）のいずれか又はこれらの組み合わせにより、ＵＥに通知されてもよい。
【００４８】
図３は、実施形態１．２に係るＬＡＡ  ＤＲＳの無線リソース構成の一例を示す図である。図３では、連続するシンボル＃４−＃７をＬＡＡ  ＤＲＳとする。具体的には、既存のＲｅｌ．１２  ＤＲＳと同様に、シンボル＃４及び＃７にＣＲＳがマッピングされ、シンボル＃５及び＃６に同期信号（ＰＳＳ、ＳＳＳ）がマッピングされる。なお、ＣＲＳはｐｏｒｔ  ０／１以外のアンテナポートで送信されてもよいし、実施形態１．１と同様にマッピングされてもよい。
【００４９】
図３のシンボル＃５及び＃６では、６ＰＲＢに割り当てられるＰＳＳ／ＳＳＳが、周波数方向に繰り返し含まれている。具体的には、つまり、シンボル＃５及び＃６では、ＬＢＴが設定される所定のキャリアの中心周波数を含む６ＰＲＢ（中心６ＰＲＢ）及びその両側の６ＰＲＢずつの計１８ＰＲＢの周波数リソースを用いて、３つのＰＳＳ／ＳＳＳが送信され、ＰＳＳ／ＳＳＳが割り当てられない外側（周波数がより高い及び低い）の無線リソースで、ＣＳＩ−ＲＳが送信される。
【００５０】
なお、中心のＰＳＳ／ＳＳＳの系列と、これに隣接するＰＳＳ／ＳＳＳの系列と、は同じであってもよいし、異なってもよい。また、ＣＳＩ−ＲＳのリソース位置及び／又はリソースマッピングは、実施形態１．１と同じ規則に従って決定されてもよい。
【００５１】
図４は、実施形態１．３に係るＬＡＡ  ＤＲＳの無線リソース構成の一例を示す図である。実施形態１．３は、実施形態１．１及び／又は実施形態１．２のＤＲＳの無線リソース構成を拡張したものに相当し、ＤＲＳ期間（例えば、１サブフレーム）内に複数（例えば、２つ、又は３つ以上）のＤＲＳ位置（ＤＲＳ候補位置、単に候補位置などと呼ばれてもよい）が規定される。
【００５２】
例えば、実施形態１．３では、連続するシンボルの１セットが１つのＤＲＳ候補を構成し、別の連続するシンボルの１セットが別の１つのＤＲＳ候補を構成する。なお、ここでの連続するシンボルとは、複数のサブフレームに渡ってもよい。図４では、所定のサブフレームの連続するシンボル＃４−＃７が１つのＤＲＳ（１番目のＤＲＳ）を構成し、連続するシンボル＃１１−＃１３及び次のサブフレームのシンボル＃０が別の１つのＤＲＳ（２番目のＤＲＳ）を構成する。
【００５３】
それぞれのＤＲＳ位置における各信号のリソース位置及び／又はリソースマッピングは、実施形態１．１及び／又は実施形態１．２と同じ規則に従って決定されてもよい。例えば、図４の例では、１番目のＤＲＳ位置のリソースマッピングは実施形態１．１と同様であり、２番目のＤＲＳ位置のリソースマッピングは１番目のＤＲＳ位置のマッピングを７シンボル分シフトしたものである。
【００５４】
より具体的には、図４の場合、ＵＥは、シンボル＃５及び＃６にＰＳＳ／ＳＳＳ／ＣＳＩ−ＲＳを置き、シンボル＃４及び＃７にＣＲＳを置く候補位置と、シンボル＃１２及び＃１３にＰＳＳ／ＳＳＳ／ＣＳＩ−ＲＳを置き、シンボル＃１１及び次サブフレームのシンボル＃０にＣＲＳを置く候補位置と、をサポートしてもよい。
【００５５】
なお、実施形態１．１における中心のＰＳＳ／ＳＳＳや、実施形態１．２における中心のＰＳＳ／ＳＳＳの系列及び隣接するＰＳＳ／ＳＳＳは、同じサブフレームのＤＲＳ位置を特定するために用いられてもよい。例えば、ＤＲＳに含まれるＰＳＳ及び／又はＳＳＳの系列は、当該ＤＲＳが送信されるＤＲＳ候補位置と関連付けられてもよい。
【００５６】
１番目のＤＲＳ位置に含まれるＰＳＳ／ＳＳＳの系列と、２番目のＤＲＳ位置に含まれるＰＳＳ／ＳＳＳの系列と、は異なるように構成されてもよい。具体的には、無線フレーム内のサブフレーム＃０用の既存のＳＳＳの系列と、サブフレーム＃５用の既存のＳＳＳの系列と、をそれぞれのＤＲＳ位置（候補位置）で用いるようにしてもよい。
【００５７】
また、複数のサブフレームのシンボルで構成されるＤＲＳ位置は、ＤＭＴＣの最後のサブフレームにマッピングされる場合、後ろのサブフレームにおけるＣＲＳを含まないようにしてもよい。例えば、図４における２番目のＤＲＳ位置がＤＭＴＣの最後のサブフレームにマッピングされる場合、次のサブフレームのシンボル＃０のＣＲＳは含まれなくてもよい（省略されてもよい）。
【００５８】
実施形態１．４では、ＰＤＳＣＨ／ＥＰＤＣＣＨがＤＲＳと多重される場合にレートマッチングを適用する。ここで、ＵＥは、以下の想定のうち、少なくとも１つに基づいてレートマッチング処理を行ってもよい。
【００５９】
ＵＥは、ＤＲＳにおいてＰＳＳ／ＳＳＳが割り当てられるＲＥには、ＰＤＳＣＨ／ＥＰＤＣＣＨがマッピングされないと想定してもよい。また、ＵＥは、ＤＲＳにおいてＣＳＩ−ＲＳが設定される場合、ＤＲＳにおいてＣＳＩ−ＲＳが割り当てられるＲＥには、ＰＤＳＣＨ／ＥＰＤＣＣＨがマッピングされないと想定してもよい。
【００６０】
また、ＵＥは、複数のＤＲＳ位置が規定（設定）される場合、ＰＤＳＣＨ／ＥＰＤＣＣＨがサブフレーム内の固定のＤＲＳ位置にマッピングされる（ＰＤＳＣＨ／ＥＰＤＣＣＨがサブフレーム内の所定のＤＲＳ位置にマッピングされない）と想定してもよい。例えばシンボル＃４−＃７にＤＲＳがマッピングされていると想定してもよい。
【００６１】
以上、第１の実施形態によれば、ＤＲＳ長を短くしつつ、ＣＳＩ−ＲＳをマッピングすることにより、ＴＰ検出を可能とすることができる。また、ＤＲＳの送信候補位置をサブフレームに複数規定することで、ＤＲＳの送信確率を増加し、ＵＥがＤＲＳを用いてセル検出及び／又は測定を行う可能性を大きくすることができる。
【００６２】
＜第２の実施形態＞
本発明の第２の実施形態では、比較的長いＤＲＳ長を用いてＤＲＳを構成する。当該ＤＲＳ構成は、少なくともＰＳＳ、ＳＳＳ、ＣＲＳ（例えば、ＣＲＳ  ｐｏｒｔ  ０／１）及びＣＳＩ−ＲＳを含む。
【００６３】
図５は、第２の実施形態に係るＬＡＡ  ＤＲＳの無線リソース構成の一例を示す図である。図５では、連続するシンボル＃４−＃８を少なくとも含んでＬＡＡ  ＤＲＳを構成する。具体的には、シンボル＃４及び＃７にＣＲＳ（ｐｏｒｔ  ０／１）がマッピングされ、シンボル＃５及び＃６に同期信号（ＰＳＳ、ＳＳＳ）がマッピングされる。なお、ＣＲＳはｐｏｒｔ  １（又は０）で送信されなくてもよく、その場合、ＣＲＳ  ｐｏｒｔ  ０（又は１）のみがマッピングされてもよい。
【００６４】
第２の実施形態では、少なくともシンボル＃８には、既存のＤＲＳ（例えば、Ｒｅｌ．１２  ＤＲＳ）に比べて追加で信号（追加信号ともいう）を配置する。追加信号は、例えば、同期信号（ＳＳＳ、ＰＳＳ）、ＣＲＳ又はこれらの組み合わせであってもよい。ＣＲＳを置くことにより、ＲＳＲＰ（Reference  Signal  Received  Power）の測定精度を改善することができ、同期信号を置くことにより、セル検出確率を向上することができる。なお、ＣＲＳとしては、ＣＲＳ  ｐｏｒｔ  ０／１が繰り返し用いられてもよいし、ＣＲＳ  ｐｏｒｔ  ２／３が用いられてもよいし、その他のアンテナポートに対応するＣＲＳが用いられてもよい。
【００６５】
また、追加信号は、上記信号に限られず、他の参照信号や、その他の制御信号（例えば、報知情報（ＭＩＢ（Master  Information  Block）、ＳＩＢ（System  Information  Block）など））のいずれか又はこれらの組み合わせが用いられてもよい。なお、追加信号として同期信号が用いられる場合、当該同期信号は、例えば、ｅＳＳ（enhanced  SS）、追加ＳＳ（additional  SS）、新ＳＳ（new  SS）、ＬＡＡ  ＳＳ、ＬＡＡ  ＤＲＳ  ＳＳ、ＬＡＡ  ＤＳ  ＳＳ、Ｒｅｌ．１３  ＳＳなどと呼ばれてもよい。また、追加信号は、３ＲＥ間隔で（例えば、ＣＲＳ  ｐｏｒｔ  ０／１と同じ周波数リソースに）配置されてもよいし、任意の周波数リソースを用いて配置されてもよい。
【００６６】
また、第２の実施形態において、ＵＥにＣＳＩ−ＲＳが設定される場合には、連続するシンボル＃４−＃１０を少なくとも含んでＬＡＡ  ＤＲＳが構成されてもよい。この場合、シンボル＃９及び＃１０にＣＳＩ−ＲＳがマッピングされる。シンボル＃９及び＃１０におけるＣＳＩ−ＲＳのリソースマッピングは、既存のＣＳＩ−ＲＳ構成に基づいて決定されてもよい。例えば、シンボル＃９及び＃１０のＣＳＩ−ＲＳは、既存のＣＳＩ−ＲＳ構成のシンボル＃９及び＃１０のリソースを用いてマッピングされてもよいし、既存のＣＳＩ−ＲＳ構成のシンボル＃５及び＃６のリソースを用いてマッピングされてもよい。
【００６７】
なお、実施形態１．１と同様に、ＰＳＳ／ＳＳＳの周波数領域の外側に（ＰＳＳ／ＳＳＳの周波数領域を挟むように）ＣＳＩ−ＲＳがマッピングされてもよい。また、実施形態１．２と同様に、ＰＳＳ／ＳＳＳは、周波数方向に繰り返し配置されてもよい。
【００６８】
なお、他のシンボルにも同様に、既存のＤＲＳに比べて追加で信号（シンボル）を配置してもよい。例えば、シンボル＃３に追加信号を配置してもよいし、シンボル＃３及び＃２に追加信号を配置してもよい。他にも、シンボル＃１や、シンボル＃１１、＃１２、＃１３などにも、ＤＲＳ内で連続的にシンボルが配置されるように、追加信号を配置してもよい。追加信号が配置されるシンボルの組み合わせは、例えば、｛＃８、＃３｝や｛＃８、＃３、＃２｝などが想定されるが、これらに限られない。
【００６９】
なお、追加信号は、追加信号が配置される予定のシンボルでＰＤＳＣＨ／ＥＰＤＣＣＨが多重される場合には、送信されなくてもよい（送信を省略してもよい）。また、ＤＲＳが送信されるサブフレームにおいて、ＤＲＳに含まれないＣＲＳも、ＲＳＲＰ測定に用いられてもよい。
【００７０】
第２の実施形態において、ＵＥは、ＤＲＳがＰＤＳＣＨ／ＥＰＤＣＣＨをと多重されるか否かに関わらず、以下を実施する：
ＤＲＳ候補位置で、ＰＳＳ／ＳＳＳの検出、
シンボル＃４及び＃７でＣＲＳの検出、
追加シンボルでＣＲＳの検出（そして、検出されない場合、同じサブフレームのＤＲＳ期間外のシンボルでＣＲＳの検出）、
ＣＳＩ−ＲＳが設定される場合、ＣＳＩ−ＲＳの検出。
【００７１】
以上、第２の実施形態によれば、ＤＲＳ長を長くしつつ、ＣＳＩ−ＲＳをマッピングすることにより、多数のＴＰ検出を可能とすることができる。また、ＤＲＳが送信されるサブフレームで多数のＣＲＳをＲＳＲＰ測定に利用できるため、高いＲＲＭ測定精度を実現することができる。
【００７２】
＜第３の実施形態＞
本発明の第３の実施形態では、ＤＲＳ構成（例えば、ＤＲＳ期間、ＤＲＳの信号構成（パターン））が設定可能である。ｅＮＢは、測定された受信品質及び／又はチャネル状態及び／又は干渉状態や、ＵＥからのフィードバック情報（例えば、ＣＳＩ）や、他のｅＮＢから通知された、電力、チャネル品質、チャネル状態などに関する情報、又はこれらの組み合わせに基づいて、所定のＵＥ（又はセル内の複数のＵＥ）に送信するＤＲＳ構成を決定し、決定したＤＲＳ構成に関する情報をＵＥに通知する。
【００７３】
例えば、ｅＮＢは、受信信号対干渉雑音比（ＳＩＮＲ：Signal-to-Interference  plus  Noise  Ratio）が良い場合には、短いＤＲＳ期間（ＤＲＳ長）を有するＤＲＳを用いるように決定してもよい。また、ｅＮＢは、ＳＩＮＲが所定の閾値より低くなった場合、比較的長いＤＲＳ期間を有するＤＲＳを用いるように決定してもよい。
【００７４】
ＵＥは、ＤＲＳ構成に関する情報に基づいて、例えば、ＤＲＳ期間及びＤＲＳの信号構成の少なくとも１つを判断し、ＤＲＳの受信、ＤＲＳに基づく検出／測定処理などを実施することができる。なお、ＤＲＳ構成に関する情報は、上位レイヤシグナリング（例えば、ＲＲＣ（Radio  Resource  Control）シグナリング、報知情報（ＭＩＢ、ＳＩＢ））及び下り制御情報（ＤＣＩ：Downlink  Control  Information）のいずれか又はこれらの組み合わせにより、ＵＥに通知されてもよい。
【００７５】
例えば、ＤＲＳ構成に関する情報は、ＤＲＳの信号構成、ＤＲＳ内の各信号のリソース位置（例えば、追加信号が含まれるリソース（シンボル）位置、周波数方向に繰り返し送信される同期信号のリソース位置など）、同期信号の数、同期信号の系列、拡張ＣＳＩ−ＲＳ構成、ＤＲＳ期間、ＤＲＳ長、ＤＲＳの送信候補位置、ＤＲＳと共有チャネルがオーバラップするか否か、などの少なくとも１つに関する情報であってもよい。また、ＤＲＳ構成を示すインデックスとＤＲＳ構成との対応関係が予め規定される又は通知される場合には、ＤＲＳ構成に関する情報は、ＤＲＳ構成を示すインデックスであってもよい。
【００７６】
図６は、第３の実施形態に係るＬＡＡ  ＤＲＳの無線リソース構成の一例を示す図である。例えば、実施形態１．３で示したように、４シンボルのＤＲＳを割り当て可能な候補位置を、１サブフレームに複数有するように設定してもよい（図６Ａ）。また、実施形態２で示したように、追加信号を用いて７／８／９シンボルのＤＲＳを割り当て可能な１つの候補位置を設定してもよい（図６Ｂ）。
【００７７】
以上、第３の実施形態によれば、ＬＡＡ  ＤＲＳの構成を動的にシグナリングすることにより、通信環境の変動に応じて柔軟にＤＲＳ構成を変更することができる。
【００７８】
また、上記の各実施形態に係る無線通信方法は、それぞれ単独で適用してもよいし、組み合わせて適用してもよい。
【００７９】
（無線通信システム）
以下、本発明の一実施形態に係る無線通信システムの構成について説明する。この無線通信システムでは、本発明の上記実施形態のいずれか及び／又は組み合わせに係る無線通信方法が適用される。
【００８０】
図７は、本発明の一実施形態に係る無線通信システムの概略構成の一例を示す図である。無線通信システム１では、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。また、無線通信システム１は、アンライセンスバンドを利用可能な無線基地局（例えば、ＬＴＥ−Ｕ基地局）を有している。
【００８１】
なお、無線通信システム１は、ＳＵＰＥＲ  ３Ｇ、ＬＴＥ−Ａ（LTE-Advanced）、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）などと呼ばれてもよい。
【００８２】
図７に示す無線通信システム１は、マクロセルＣ１を形成する無線基地局１１と、マクロセルＣ１内に配置され、マクロセルＣ１よりも狭いスモールセルＣ２を形成する無線基地局１２（１２ａ−１２ｃ）とを備えている。また、マクロセルＣ１及び各スモールセルＣ２には、ユーザ端末２０が配置されている。例えば、マクロセルＣ１をライセンスバンドで利用し、スモールセルＣ２をアンライセンスバンド（ＬＴＥ−Ｕ）で利用する形態が考えられる。また、スモールセルの一部をライセンスバンドで利用し、他のスモールセルをアンライセンスバンドで利用する形態が考えられる。
【００８３】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。例えば、ライセンスバンドを利用する無線基地局１１からユーザ端末２０に対して、アンライセンスバンドを利用する無線基地局１２（例えば、ＬＴＥ−Ｕ基地局）に関するアシスト情報（例えば、ＤＬ信号構成）を送信することができる。また、ライセンスバンドとアンライセンスバンドでＣＡを行う場合、１つの無線基地局（例えば、無線基地局１１）がライセンスバンドセル及びアンライセンスバンドセルのスケジュールを制御する構成とすることも可能である。
【００８４】
なお、ユーザ端末２０は、無線基地局１１に接続せず、無線基地局１２に接続する構成としてもよい。例えば、アンライセンスバンドを用いる無線基地局１２がユーザ端末２０とスタンドアローンで接続する構成としてもよい。この場合、無線基地局１２がアンライセンスバンドセルのスケジュールを制御する。
【００８５】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００８６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００８７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００８８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。また、同一のアンライセンスバンドを共有して利用する各無線基地局１０は、時間的に同期するように構成されていることが好ましい。
【００８９】
各ユーザ端末２０は、ＬＴＥ、ＬＴＥ−Ａなどの各種通信方式に対応した端末であり、移動通信端末だけでなく固定通信端末を含んでよい。
【００９０】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single-Carrier  Frequency  Division  Multiple  Access）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００９１】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【００９２】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨと周波数分割多重され、ＰＤＣＣＨと同様にＤＣＩなどの伝送に用いられる。
【００９３】
無線通信システム１では、上りリンクのチャネルとして、各ユーザ端末２０で共有される上り共有チャネル（ＰＵＳＣＨ：Physical  Uplink  Shared  Channel）、上りＬ１／Ｌ２制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨは、上りデータチャネルと呼ばれてもよい。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認情報（ＡＣＫ／ＮＡＣＫ）などが伝送される。ＰＲＡＣＨにより、セルとの接続確立のためのランダムアクセスプリアンブルが伝送される。
【００９４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９５】
（無線基地局）
図８は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９６】
下りリンクにより無線基地局１０からユーザ端末２０に送信されるユーザデータは、上位局装置３０から伝送路インターフェース１０６を介してベースバンド信号処理部１０４に入力される。
【００９７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【００９８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【００９９】
送受信部１０３は、アンライセンスバンドでＵＬ／ＤＬ信号の送受信が可能である。なお、送受信部１０３は、ライセンスバンドでＵＬ／ＤＬ信号の送受信が可能であってもよい。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１００】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１０２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１０３】
なお、送受信部１０３は、少なくともアンライセンスバンドを用いて、ユーザ端末２０に下り信号を受信する。例えば、送受信部１０３は、ＰＳＳ／ＳＳＳと周波数多重されるＣＳＩ−ＲＳを含むＤＲＳを、ユーザ端末２０に設定したＤＭＴＣ期間において、アンライセンスバンドで送信する。
【０１０４】
また、送受信部１０３は、少なくともアンライセンスバンドを用いて、ユーザ端末２０から上り信号を受信する。送受信部１０３は、ユーザ端末２０から、ＤＳのＲＲＭ測定結果（例えば、ＣＳＩフィードバックなど）をライセンスバンド及び／又はアンライセンスバンドで受信してもよい。
【０１０５】
図９は、本発明の一実施形態に係る無線基地局の機能構成の一例を示す図である。なお、図９では、本実施形態における特徴部分の機能ブロックを主に示しており、無線基地局１０は、無線通信に必要な他の機能ブロックも有しているものとする。図９に示すように、ベースバンド信号処理部１０４は、制御部（スケジューラ）３０１と、送信信号生成部３０２と、マッピング部３０３と、受信信号処理部３０４と、測定部３０５と、を少なくとも備えている。
【０１０６】
制御部（スケジューラ）３０１は、無線基地局１０全体の制御を実施する。なお、ライセンスバンドとアンライセンスバンドに対して１つの制御部（スケジューラ）３０１でスケジューリングを行う場合、制御部３０１は、ライセンスバンドセル及びアンライセンスバンドセルの通信を制御する。制御部３０１は、本発明に係る技術分野での共通認識に基づいて説明されるコントローラ、制御回路又は制御装置とすることができる。
【０１０７】
制御部３０１は、例えば、送信信号生成部３０２による信号の生成や、マッピング部３０３による信号の割り当てを制御する。また、制御部３０１は、受信信号処理部３０４による信号の受信処理や、測定部３０５による信号の測定を制御する。
【０１０８】
制御部３０１は、システム情報、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、同期信号（ＰＳＳ（Primary  Synchronization  Signal）／ＳＳＳ（Secondary  Synchronization  Signal））や、ＣＲＳ、ＣＳＩ−ＲＳ、ＤＭＲＳなどの下り参照信号のスケジューリングの制御を行う。
【０１０９】
また、制御部３０１は、ＰＵＳＣＨで送信される上りデータ信号、ＰＵＣＣＨ及び／又はＰＵＳＣＨで送信される上り制御信号（例えば、送達確認信号（ＨＡＲＱ−ＡＣＫ））、ＰＲＡＣＨで送信されるランダムアクセスプリアンブルや、上り参照信号などのスケジューリングを制御する。
【０１１０】
制御部３０１は、測定部３０５により得られたＬＢＴ結果に従って、送信信号生成部３０２及びマッピング部３０３に対して、下り信号の送信を制御する。具体的には、制御部３０１は、第１、第２又は第３の実施形態で述べたＤＲＳ（ＬＡＡ  ＤＲＳ）を、アンライセンスバンドで送信するように、ＤＲＳに含まれる各種信号の生成、マッピング、送信などを制御する。
【０１１１】
ここで、制御部３０１は、ＤＲＳに含まれるチャネル状態測定用参照信号（ＣＳＩ−ＲＳ）を、既存のＣＳＩ−ＲＳ構成で規定されるシンボル＃５及び＃６、又はシンボル＃９及び＃１０の候補リソースの少なくとも１つにマッピングするように制御してもよい。なお、制御部３０１は、既存のＣＳＩ−ＲＳ構成のシンボル＃９及び＃１０の候補リソースを用いる場合、ＰＲＢ内で周波数リソースが一致するようにＣＳＩ−ＲＳをマッピングすることができる。
【０１１２】
また、制御部３０１は、ＤＲＳに含まれる第１の同期信号（ＰＳＳ）の少なくとも一部を、既存システムにおけるＰＳＳと同じ無線リソースにマッピングし、ＤＲＳに含まれる第２の同期信号（ＳＳＳ）の少なくとも一部を、既存システムにおけるＳＳＳと同じ無線リソースにマッピングするように制御してもよい。
【０１１３】
また、制御部３０１は、ＤＲＳに含まれる第１の同期信号（ＰＳＳ）及び／又は第２の同期信号（ＳＳＳ）の一部を、ＬＢＴを行うセルの中心周波数を含む６リソースブロック以外の６リソースブロックにマッピングするように制御してもよい。また、制御部３０１は、ＤＲＳに、既存システムのＤＲＳにおいて同期信号及び参照信号のどちらもマッピングされないシンボルに、所定の同期信号（ＳＳ）及び／又は参照信号（例えば、ＣＲＳ）をマッピングするように制御してもよい。
【０１１４】
また、制御部３０１は、所定の期間（ＤＭＴＣ期間）内に複数規定される候補位置の少なくとも１つで、ＤＲＳを送信するように制御してもよい。
【０１１５】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１１６】
送信信号生成部３０２は、例えば、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ：Channel  State  Information）などに基づいて決定された符号化率、変調方式などに従って符号化処理、変調処理が行われる。また、送信信号生成部３０２は、ＰＳＳ、ＳＳＳ、ＣＲＳ、ＣＳＩ−ＲＳなどを含むＤＲＳを生成する。
【０１１７】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１１８】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１１９】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号や、受信処理後の信号を、測定部３０５に出力する。
【０１２０】
測定部３０５は、受信した信号に関する測定を実施する。測定部３０５は、本発明に係る技術分野での共通認識に基づいて説明される測定器、測定回路又は測定装置から構成することができる。
【０１２１】
測定部３０５は、制御部３０１からの指示に基づいて、ＬＢＴが設定されるキャリア（例えば、アンライセンスバンド）でＬＢＴを実施し、ＬＢＴ結果（例えば、チャネル状態がアイドルであるかビジーであるかの判定結果）を、制御部３０１に出力する。
【０１２２】
また、測定部３０５は、例えば、受信した信号の受信電力（例えば、ＲＳＲＰ（Reference  Signal  Received  Power））、受信品質（例えば、ＲＳＲＱ（Reference  Signal  Received  Quality））やチャネル状態などについて測定してもよい。測定結果は、制御部３０１に出力されてもよい。
【０１２３】
（ユーザ端末）
図１０は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２４】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、アンライセンスバンドでＵＬ／ＤＬ信号の送受信が可能である。なお、送受信部２０３は、ライセンスバンドでＵＬ／ＤＬ信号の送受信が可能であってもよい。
【０１２５】
送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２６】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１２７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１２８】
なお、送受信部２０３は、少なくともアンライセンスバンドを用いて、無線基地局１０から送信された下り信号を受信する。例えば、送受信部２０３は、ＰＳＳ／ＳＳＳと周波数多重されるＣＳＩ−ＲＳを含むＤＲＳを、無線基地局１０から設定されたＤＭＴＣ期間において、アンライセンスバンドで受信する。
【０１２９】
また、送受信部２０３は、少なくともアンライセンスバンドを用いて、無線基地局１０に上り信号を送信する。例えば、送受信部２０３は、ＤＲＳのＲＲＭ測定結果（例えば、ＣＳＩフィードバックなど）をライセンスバンド及び／又はアンライセンスバンドで送信してもよい。
【０１３０】
図１１は、本発明の一実施形態に係るユーザ端末の機能構成の一例を示す図である。なお、図１１においては、本実施形態における特徴部分の機能ブロックを主に示しており、ユーザ端末２０は、無線通信に必要な他の機能ブロックも有しているものとする。図１１に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１３１】
制御部４０１は、ユーザ端末２０全体の制御を実施する。制御部４０１は、本発明に係る技術分野での共通認識に基づいて説明されるコントローラ、制御回路又は制御装置から構成することができる。
【０１３２】
制御部４０１は、例えば、送信信号生成部４０２による信号の生成や、マッピング部４０３による信号の割り当てを制御する。また、制御部４０１は、受信信号処理部４０４による信号の受信処理や、測定部４０５による信号の測定を制御する。
【０１３３】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。
【０１３４】
制御部４０１は、アンライセンスバンドにおいて、ＤＲＳ（ＬＡＡ用のＤＲＳ）を用いてＲＲＭ測定やセルサーチを行うように、受信信号処理部４０４及び測定部４０５を制御する。また、制御部４０１は、測定部４０５により得られたＬＢＴ結果に従って、送信信号生成部４０２及びマッピング部４０３に対して、上り信号の送信を制御してもよい。
【０１３５】
具体的には、制御部４０１は、第１、第２又は第３の実施形態で述べたＤＲＳを受信するように制御する。制御部４０１は、所定の期間（ＤＲＳ期間）内に複数規定される候補位置の少なくとも１つで、ＤＲＳの受信を試行するように制御してもよい。また、制御部４０１は、検出測定信号構成（ＤＲＳ構成）に関する情報に基づいて判断される期間（ＤＲＳ期間）又は信号構成（ＤＲＳパターン）の少なくとも１つに基づいて、ＤＲＳの受信を試行するように制御してもよい。
【０１３６】
また、制御部４０１は、ＰＤＳＣＨ／ＥＰＤＣＣＨがＤＲＳと多重される場合に、ＰＤＳＣＨ／ＥＰＤＣＣＨにレートマッチングを適用して受信処理を行うように制御してもよい。
【０１３７】
また、制御部４０１は、ＬＡＡ  ＤＳに含まれる参照信号（例えば、ＣＲＳ、ＣＳＩ−ＲＳなど）を用いて測定部４０５が測定した受信電力及び／又は受信品質及び／又はチャネル状態を取得し、フィードバック情報（例えば、ＣＳＩ）を生成して無線基地局２０に送信するように制御する。
【０１３８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１３９】
送信信号生成部４０２は、例えば、制御部４０１からの指示に基づいて、送達確認信号（ＨＡＲＱ−ＡＣＫ）やチャネル状態情報（ＣＳＩ）に関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４０】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１４１】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１４２】
受信信号処理部４０４は、受信処理により復号された情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。
【０１４３】
測定部４０５は、受信した信号に関する測定を実施する。測定部４０５は、本発明に係る技術分野での共通認識に基づいて説明される測定器、測定回路又は測定装置から構成することができる。
【０１４４】
測定部４０５は、制御部４０１からの指示に基づいて、ＬＢＴが設定されるキャリア（例えば、アンライセンスバンド）でＬＢＴを実施してもよい。測定部４０５は、ＬＢＴ結果（例えば、チャネル状態がアイドルであるかビジーであるかの判定結果）を、制御部４０１に出力してもよい。
【０１４５】
また、測定部４０５は、例えば、受信した信号の受信電力（例えば、ＲＳＲＰ）、受信品質（例えば、ＲＳＲＱ）やチャネル状態などについて測定してもよい。例えば、測定部４０５は、ＬＡＡ  ＤＲＳをＲＲＭ測定する。測定結果は、制御部４０１に出力されてもよい。
【０１４６】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１４７】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されてもよい。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１４８】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されてもよい。また、無線基地局１０やユーザ端末２０は、入力キーなどの入力装置や、ディスプレイなどの出力装置を含んでいてもよい。
【０１４９】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１５０】
ここで、当該プログラムは、上記の各実施形態で説明した各動作を、コンピュータに実行させるプログラムであればよい。例えば、ユーザ端末２０の制御部４０１は、メモリに格納され、プロセッサで動作する制御プログラムによって実現されてもよく、他の機能ブロックについても同様に実現されてもよい。
【０１５１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１５２】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ：Component  Carrier）は、キャリア周波数、セルなどと呼ばれてもよい。
【０１５３】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１５４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１５６】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１５７】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１５８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５９】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１６０】
本出願は、２０１５年９月２４日出願の特願２０１５−１８７４７３に基づく。この内容は、全てここに含めておく。
【図１】
2017051726.tif 000003
【図２】
2017051726.tif 000004
【図３】
2017051726.tif 000005
【図４】
2017051726.tif 000006
【図５】
2017051726.tif 000007
【図６】
2017051726.tif 000008
【図７】
2017051726.tif 000009
【図８】
2017051726.tif 000010
【図９】
2017051726.tif 000011
【図１０】
2017051726.tif 000012
【図１１】
2017051726.tif 000013
【国際調査報告】
2017051726.tif 000014
2017051726.tif 000015
2017051726.tif 000016
2017051726.tif 000017